(57)【要約】【課題】正しくカメラの方向をみている顔画像を入手する。【解決手段】写真撮影装置１００はカメラＣと、ストロボユニットＳと、視線センサ４５と、制御部１１とを備える。制御部１１は視線センサ４５からの信号に基づいて視線が所定方向を向いているか否か判定する視線方向判定部１１ａと、カメラＣとストロボユニットＳを動作させて静止画像を得る静止画像取得部１１ｃとを有する。【選択図】図１
2019161322.tif 000002
【特許請求の範囲】
【請求項１】
撮影室を有し、当該撮影室内の被写体を撮影する写真撮影装置において、
前記撮影室内の前記被写体の少なくとも顔部分を撮影する撮影部と、
前記撮影室内の前記被写体に光を照射する光源ユニットと、
前記撮影室内の前記被写体の視線を検出する視線センサと、
前記撮影部、前記光源ユニットおよび前記視線センサを制御する制御部とを備え、
前記制御部は、前記視線センサからの信号に基づいて、前記被写体の視線が所定方向を向いているか否か判定する視線方向判定部と、前記視線方向判定部からの信号に基づいて前記撮影部と前記光源ユニットを動作させて静止画像を得る静止画像取得部とを有する、写真撮影装置。
【請求項２】
前記制御部は前記視線方向判定部からの信号に基づいて視線誘導ガイダンスを発するガイダンス出力部を有する、請求項１記載の写真撮影装置。
【請求項３】
前記制御部は前記撮影部から送られる動画像に基づいて、前記被写体の顔部分が正しい方向を向いているか否か判定する顔方向判定部を有し、
前記静止画像取得部は前記視線方向判定部および前記顔方向判定部からの信号に基づいて前記撮影部と前記光源ユニットを動作させる、請求項１記載の写真撮影装置。
【請求項４】
前記制御部は前記撮影部から送られる動画像に基づいて、前記被写体の顔部分が正しい方向を向いているか否か判定する顔方向判定部を有し、
前記ガイダンス出力部は前記顔方向判定部からの信号に基づいて、顔方向誘導ガイダンスを発する、請求項２記載の写真撮影装置。
【請求項５】
前記視線方向判定部は、前記被写体の視線が一定時間前記撮影部を向いた後、視線が前記所定方向を向いていると判定する、請求項１乃至４のいずれか記載の写真撮影装置。
【請求項６】
前記撮影部と前記視線センサは、垂直方向に並んで配置されている、請求項１乃至５のいずれか記載の写真撮影装置。
【請求項７】
前記ガイダンス出力部は、操作パネルに前記視線誘導ガイダンスを出力する、請求項２記載の写真撮影装置。
【請求項８】
前記ガイダンス出力部は、スピーカに前記視線誘導ガイダンスを出力する、請求項２記載の写真撮影装置。
【請求項９】
前記制御部の前記静止画像取得部は、前記撮影部と前記光源ユニットを動作させる前に撮影直前ガイダンスを出力し、前記静止画像取得部は前記視線方向判定部からの信号に基づいて、前記撮影直前ガイダンス中に前記被写体の視線方向が前記所定方向を向いていない場合に、前記被写体の視線方向が前記所定方向を向くまで、前記撮影部と前記光源ユニットの動作を停止させる、請求項１記載の写真撮影装置。
【発明の詳細な説明】
【技術分野】
【０００１】
本発明は、写真撮影装置に関する。
【背景技術】
【０００２】
従来、免許証やパスポート、履歴書等に貼付するための写真等を撮影するためのボックス型の写真撮影装置が知られている。この写真撮影装置においては、ユーザー、すなわち被写体の顔部分が撮影されるとともに、得られた被写体の顔画像がプリントされる。
【０００３】
そして、例えば、プリクラや証明写真ボックスなどのセルフポートレイト撮影機として、カメラと、光源ユニットと、カメラの周辺に設けられ撮影画像をプレビューさせたり撮影前後のガイダンスを表示する操作パネルとを有する写真撮影装置がある（例えば、特許文献１参照）。
【０００４】
ところで、このような写真撮影装置において、撮影中に被写体がカメラ以外の方向をみてしまい、例えば操作パネル上のプレビューをみることにより、得られた被写体の顔画像が不適切なものとなる場合がある。
【先行技術文献】
【特許文献】
【０００５】
【特許文献１】特許第４６５０６７１号
【発明の概要】
【発明が解決しようとする課題】
【０００６】
本発明はこのような点を考慮してなされたものであり、被写体が正しくカメラの方向をみている被写体の静止画像を入手可能な写真撮影装置及びその制御方法を提供することを目的とする。
【課題を解決するための手段】
【０００７】
本発明は、撮影室を有し、当該撮影室内の被写体を撮影する写真撮影装置において、前記撮影室内の前記被写体の少なくとも顔部分を撮影する撮影部と、前記撮影室内の前記被写体に光を照射する光源ユニットと、前記撮影室内の前記被写体の視線を検出する視線センサと、前記撮影部、前記光源ユニットおよび前記視線センサを制御する制御部とを備え、前記制御部は、前記視線センサからの信号に基づいて、前記被写体の視線が所定方向を向いているか否か判定する視線方向判定部と、前記視線方向判定部からの信号に基づいて前記撮影部と前記光源ユニットを動作させて静止画像を得る静止画像取得部とを有する、写真撮影装置である。
【０００８】
本発明は、前記制御部は前記視線方向判定部からの信号に基づいて視線誘導ガイダンスを発するガイダンス出力部を有する、写真撮影装置である。
【０００９】
本発明は、前記制御部は前記撮影部から送られる動画像に基づいて、前記被写体の顔部分が正しい方向を向いているか否か判定する顔方向判定部を有し、前記静止画像取得部は前記視線方向判定部および前記顔方向判定部からの信号に基づいて前記撮影部と前記光源ユニットを動作させる、写真撮影装置である。
【００１０】
本発明は、前記制御部は前記撮影部から送られる動画像に基づいて、前記被写体の顔部分が正しい方向を向いているか否か判定する顔方向判定部を有し、前記ガイダンス出力部は前記顔方向判定部からの信号に基づいて、顔方向誘導ガイダンスを発する、写真撮影装置である。
【００１１】
本発明は、前記視線方向判定部は、前記被写体の視線が一定時間前記撮影部を向いた後、視線が前記所定方向を向いていると判定する、写真撮影装置である。
【００１２】
本発明は、前記撮影部と前記視線センサは、垂直方向に並んで配置されている、写真撮影装置である。
【００１３】
本発明は、前記ガイダンス出力部は、操作パネルに前記視線誘導ガイダンスを出力する、写真撮影装置である。
【００１４】
本発明は、前記ガイダンス出力部は、スピーカに前記視線誘導ガイダンスを出力する、写真撮影装置である。
【００１５】
本発明は、前記制御部の前記静止画像取得部は、前記撮影部と前記光源ユニットを動作させる前に撮影直前ガイダンスを出力し、前記静止画像取得部は前記視線方向判定部からの信号に基づいて、前記撮影直前ガイダンス中に前記被写体の視線方向が前記所定方向を向いていない場合に、前記被写体の視線方向が前記所定方向を向くまで、前記撮影部と前記光源ユニットの動作を停止させる、写真撮影装置である。
【発明の効果】
【００１６】
本発明によれば、被写体が正しく撮影部の方向をみている被写体の静止画像を入手することができる。
【図面の簡単な説明】
【００１７】
【図１】図１は、第１の実施の形態に係る写真撮影装置のシステム構成の一例を示す図である。
【図２】図２は、図１に示す写真撮影装置にユーザーが位置した場合の各構成の配置の一例を示す図である。
【図３】図３は、図２に示す写真撮影装置内部の構成部材の配置構成を示す図である。
【図４】図４は、図１、図２に示す写真撮影装置の外観の一例を示す図である。
【図５】図５は、第１の実施の形態による写真撮影装置の作用を示すフローチャートである。
【図６】図６は、変形例による写真撮影装置の作用を示すフローチャートである。
【図７】図７は、第２の実施の形態に係る写真撮影装置のシステム構成の一例を示す図である。
【図８】図８は、第２の実施の形態による写真撮影装置の作用を示すフローチャートである。
【図９】図９は、変形例による写真撮影装置の作用を示すフローチャートである。
【図１０】図１０は、第３の実施の形態による写真撮影装置の作用を示すフローチャートである。
【図１１】図１１は第３の実施の形態による写真撮影装置の動作フローを示す図である。
【発明を実施するための形態】
【００１８】
＜第１の実施の形態＞
図１は、第１の実施の形態に係る写真撮影装置１００のシステム構成の一例を示す図である。また、図２は、図１に示す写真撮影装置１００にユーザーが位置した場合の各構成の配置の一例を示す図である。また、図３は、図２に示す写真撮影装置内部の構成部材の配置構成を示す図である。また、図４は、図１、図２に示す写真撮影装置１００の外観の一例を示す図である。さらに図５は第１の実施の形態による写真撮影装置の作用を示すフローチャート、図６は変形例による写真撮影装置の作用を示すフローチャートである。
【００１９】
なお、図２においては、簡単のため、記憶部１６、及びＩ／Ｏユニット３１は、省略されている。
【００２０】
図２、図４に示すように、写真撮影装置１００はボックス形状を有し、ボックス形状を有する写真撮影装置１００は、ボックス本体１００ａと、ボックス本体１００ａ内に設けられ、ボックス本体１００ａ内を収納空間１００ｆと撮影空間（撮影室）１００ｇとに区画する内壁１００ｄと、を備えている。なお、このボックス本体１００ａ内の撮影空間１００ｇの天井の高さは、例えば、床から１８０ｃｍ程度である（図２）。
【００２１】
また、収納空間１００ｆ内には、制御部１１と、カメラ（撮影部）Ｃと、検知センサ１３と、入力装置（操作部）１４と、ＬＣＤ（Liquid Crystal Display）表示部（表示装置）Ｍと、記憶部１６と、プリンタ１７と、Ｉ／Ｏ（Input/Output）ユニット３１と、スピーカ２２と、キャッシャー２３と、ストロボユニット（光源ユニット）Ｓとが設けられている。
【００２２】
このうちＬＣＤ表示部Ｍは、図３に示すように、入力機能をもつタッチパネルからなり、このためＬＣＤ表示部Ｍは入力装置１４と一体となって操作パネル１４Ａを構成している。また、検知センサ１３と操作パネル１４Ａと、スピーカ２２と、キャッシャー２３と、ストロボユニットＳは内壁１００ｄ上に設けられて、撮影室１００ｇ側へ露出している。
【００２３】
また内壁１００ｄ上には、釣銭口２４と、プリンタ１７によりプリントされた写真を取り出す取出口１７Ａとが撮影室１００ｇ側へ露出するように設けられている。
【００２４】
さらにまた、内壁１００ｄ上には、撮影室１００ｇ側へ露出するように、カメラＣの下方に視線センサ４５が設けられている。この視線センサ４５はユーザーＸの視線の方向を検知するものであり、視線センサ４５により検知された視線の情報は制御部１１に送られる。そして制御部１１の後述する視線方向判定部１１ａにより、ユーザーＸの視線がカメラＣと同一の中心をもつ視線検知領域５０内に入っているか否か、すなわち視線が所定方向を向いているか否か判定される。
【００２５】
また内壁１００ｄ上に設置されたストロボＳと、カメラＣと、視線センサ４５と、操作モニターは、内壁１００ｄ上において同一垂直線Ｌ上に位置している。
【００２６】
また、図４に示すように、ボックス本体１００ａの外面には、ユーザーＸがボックス本体１００ａ内部に出入する出入口１００ｅが設けられている。
【００２７】
また、図４に示すように、出入口１００ｅには、写真撮影を行う際に外部からの光を遮断する遮光カーテン１００ｂが取り付けられている。
【００２８】
さらに、図２に示すように、撮影空間１００ｇ内には、写真撮影中にユーザーＸが座る椅子Ｙが昇降可能に設置されている。
【００２９】
また、上述のように収納空間１００ｆ内には、被写体（ユーザーＸ）を撮影して画像情報を得るカメラ（撮影装置）Ｃと、画像情報に対応する被写体画像をプリントしてユーザーＸに証明写真を提供するプリンタ１７とが配置されている。
【００３０】
なお「画像情報」とは、撮影により得られた被写体画像の電子情報のことである。
【００３１】
また、上述のように内壁１００ｄには、カメラＣが設けられており、このカメラＣは椅子Ｙに腰掛けているユーザーＸの顔部分の高さに対応する高さに設けられている。
【００３２】
また、内壁１００ｄ上のカメラＣの近傍には、ユーザーＸが撮影空間１００ｇ内に入ってきたことを検知する検知センサ１３が設けられている。
【００３３】
そして、ユーザーＸの入室が検知センサ１３により検知されると、ＬＣＤ表示部Ｍおよびスピーカ２２によるガイダンスを開始するようになっている。
【００３４】
ここで、図１に示す制御部１１は、ＣＰＵ（Central Processing Unit）、ＲＡＭ（Random Access Memory）等から構成される。
【００３５】
この制御部１１は、記憶部１６に格納されているシステムプログラムや、画像撮影処理プログラム、画像処理プログラム等の各種プログラムを読み出してＲＡＭに展開し、当該プログラムに従って各部の動作を集中制御するようになっている。
【００３６】
また、撮影部であるカメラＣは、光学レンズ、ＣＣＤ（Charge Coupled Device）等の光学センサ、Ａ／Ｄ（Analog/Digital）変換部等で構成されている。
【００３７】
このカメラＣは、撮影時には光学レンズを介して入力される被写体像を光学センサにより光電変換して画像信号（アナログ）を生成する。そして、当該Ａ／Ｄ変換部によりアナログ画像信号からデジタル画像データを得て、当該デジタル画像データを制御部１１に出力するようになっている。
【００３８】
なお、このカメラＣの撮影の中心の高さは、ユーザーＸの頭部の位置程度の高さであり、例えば、床から１２０ｃｍ程度である（図２）。なお、上述のように、ユーザーＸの頭部の高さは、撮影時に椅子Ｙを昇降することにより調整される。
【００３９】
このように、撮影部であるカメラＣは、内壁１００ｄに設けられ、撮影空間（撮影室）１００ｇ内に位置するユーザーＸを撮影して画像情報を得るようになっている。
【００４０】
また、検知センサ１３は、画像処理装置１の撮影室（撮影空間１００ｇ）内にユーザーＸが入室したことを検知する光学センサ等であり、その検知信号を制御部１１に出力するようになっている。
【００４１】
また、操作部である入力装置１４は、ＬＣＤ表示部Ｍと一体にタッチパネルからなる操作パネル１４Ａを構成し、この入力装置１４によりユーザーＸが撮影に関する操作入力をすることができる。
【００４２】
この入力装置１４は、写真種類を選択するための写真種選択スイッチ、撮影開始を指示するための撮影スイッチ、撮影画像のプリント出力を指示するためのプリントスイッチ等の各種機能キーを備える。
【００４３】
この入力装置１４は、操作されたキーに対応する操作信号を制御部１１に出力するようになっている。入力装置１４を一体に組み込んだタッチパネル型のＬＣＤ表示部Ｍは、内壁１００ｄのうちカメラＣよりも下方に設置されている。なおＬＣＤ表示部Ｍについては後述する。
【００４４】
また、記憶部１６は、システムプログラムの他、顔画像撮影処理プログラム、画像処理プログラム等の各種処理プログラム及び各プログラムで処理されたデータ等を記憶するようになっている。
【００４５】
プリンタ１７は、制御部１１から入力された画像データに基づいてプリント出力を行う（すなわち、カメラ（撮影部）Ｃが取得した画像情報に対応する被写体画像をプリントする）ようになっている。
【００４６】
また、図１に示すＩ／Ｏユニット３１は、制御部１１と、スピーカ２２、キャッシャー２３、ストロボユニットＳとの間で情報のやり取りを仲介するインターフェイスである。
【００４７】
このＩ／Ｏユニット３１は、制御部１１からの制御信号をスピーカ２２、キャッシャー２３、ストロボユニットＳに送信するとともに、スピーカ２２、キャッシャー２３、ストロボユニットＳからのステータス信号等を制御部１１に出力するようになっている。
【００４８】
そして、スピーカ２２は、Ｉ／Ｏユニット３１を介して制御部１１から入力されるガイド用アナウンスの音声信号を出力するようになっている。
【００４９】
また、図２に示すように、内壁１００ｄには、カメラＣ（撮影窓２１）よりも上方に位置するように、撮影用のストロボユニット（光源ユニット）Ｓが設けられている。このストロボユニットＳは、椅子Ｙに座っているユーザーＸの頭部に、ユーザーＸの前方上方から、光を照射するようになっている。
【００５０】
このストロボユニットＳは、制御部１１から指示された発光タイミング、発光量で発光を行うようになっている。
【００５１】
ここで、図２に示すように、ストロボユニットＳの高さは、カメラＣが配置される位置よりも上の高さであり、例えば、床から１４５ｃｍ程度である（図２）。そして、このストロボユニットＳの高さは、例えば、２０ｃｍ程度である。
【００５２】
このようにストロボユニットＳは、カメラ（撮影部）Ｃよりも上方に位置するように内壁１００ｄに設けられ、少なくともユーザーＸの頭部に、前方上方から、光を照射するためのものである。
【００５３】
また、図２に示すように、内壁１００ｄには、撮影料金を精算するためのキャッシャー２３が設けられている。
【００５４】
このキャッシャー２３は、硬貨や紙幣の入金口２３ａと釣銭の釣銭口２４とを備えた金銭登録機である。このキャッシャー２３は、入金口２３ａから入金された金額を検出して釣銭の金額を算出し、算出された釣銭金額分の硬貨又は紙幣を釣銭口２４に排出して料金精算を行うようになっている。また収納空間１００ｆ内には入手した画像情報をネットワークを介して外部サーバに送るＷｉＦｉルータ４０が設けられている。
【００５５】
また、上述のように収納空間１００ｆ内には、操作手順やその他撮影に関するガイド映像等を表示するＬＣＤ表示部Ｍが設置されている（図２参照）。
【００５６】
このＬＣＤ表示部Ｍは、ＬＣＤ（Liquid Crystal Display）の画面を備える。
【００５７】
このＬＣＤ表示部Ｍは、制御部１１からの制御信号に従って、撮影手順を説明するガイド画面、写真種類を選択するための選択画面等の各種操作画面や、カメラ（撮像装置）Ｃにより撮影されたユーザーＸの顔画像等を表示するようになっている。
【００５８】
また、ＬＣＤ表示部Ｍには、上述のように、入力装置１４が組み込まれており、撮影に関する情報をユーザーＸに向けて表示するとともに、ユーザーＸが撮影に関する操作入力を行うようになっている。このＬＣＤ表示部Ｍは、例えば、入力装置（操作部）１４と併用された操作用タッチパネルである。
【００５９】
ＬＣＤ表示部Ｍは、カメラ（撮影部）Ｃよりも下方に位置するように内壁１００ｄに設けられ、撮影に関する所定の情報を表示する。
【００６０】
なお、撮影に関する情報は、ＬＣＤ表示部Ｍに表示されるとともに、ＬＣＤ表示部Ｍの下方に設けられたスピーカ２２を介して音声でユーザーＸに提供される。
【００６１】
このＬＣＤ表示部Ｍの画面（ＬＣＤ）は、例えば、横幅が２４０ｍｍ、縦幅が２００ｍｍの大きさを有する。そして、このＬＣＤ表示部Ｍの画面の中心の高さは、ユーザーＸの腹部Ｘｂの位置程度の高さであり、例えば、床から８０ｃｍ程度である（図２）。
【００６２】
次に、このような構成からなる写真撮影装置１００の作用について、図５を用いて説明する。
【００６３】
ここで、図５は写真撮影装置１００の作用を示すフローチャートである。
【００６４】
まず、ユーザーＸが写真撮影装置１００の出入口１００ｅから撮影空間１００ｇに入室する。
【００６５】
このとき、検知センサ１３はユーザーＸが入室したことを検知すると検知信号を制御部１１に出力する。
【００６６】
そして、上記検知信号により、制御部１１が起動して、カメラＣが撮影可能な状態となり、撮影空間１００ｇ内の定常光が点灯される。
【００６７】
さらに、制御部１１は、ＬＣＤ表示部Ｍの画面に、撮影に関する情報をユーザーＸに向けて表示し、同時にスピーカ２２から撮影ガイドに係るアナウンス音声が出力される。このように、ＬＣＤ表示部Ｍおよびスピーカ２２による撮影ガイダンスが開始される。
【００６８】
そして、ユーザーＸは、ＬＣＤ表示部Ｍの画面に表示された撮影ガイダンスを確認して、ユーザーＸは、入力装置１４に対して撮影に関する所定の操作入力を行う。このとき、ユーザーＸは撮影メニューを選択し、例えばプリンタ１７を用いて顔画像情報をプリントするか、又はＷｉＦｉルータ４０を用いて顔画像情報を外部サーバへ送るか選択する。
【００６９】
次にユーザーＸは撮影モードを選択し、普通の撮影モードまたはきれい撮影モードのいずれかを選択する。
【００７０】
次にユーザーＸは、ユーザーＸの顔部分の位置程度の高さが、カメラＣの中心の高さになるように、椅子Ｙの高さを所定の高さに調整する。その後、ユーザーＸは、撮像したい体勢にポージングする。
【００７１】
このとき、ＬＣＤ表示部Ｍに、カメラＣにより撮影されているユーザーＸの動画像（ライブビュー）が表示される。
【００７２】
これにより、ユーザーＸは、ＬＣＤ表示部Ｍの画面を見て、ポージングを確認することができる。
【００７３】
その後、図５に示すように、ユーザーＸがＬＣＤ表示部Ｍの画面に表示される撮影開始ボタン（タッチパネルである入力装置１４の撮影開始ボタン）を操作して撮影動作入力を実行する。
【００７４】
この間、制御部１１は、ＬＣＤ表示部ＭにカメラＣにより撮影されているユーザーＸの動画像（ライブビュー）を表示させている。
【００７５】
撮影動作入力が実行されると、制御部１１は撮影スタンバイ状態となる。このとき、制御部１１は視線センサ４５からの信号に基づいて、視線方向判定部１１ａにより、ユーザーＸの視線がカメラＣと同一の中心をもつ視線検知領域５０内に入っているか否か判定する。そしてユーザーＸの視線が視線検知領域５０内に入っている場合に、ユーザーＸの視線が所定方向（カメラＣに向かう方向）を向いていると判定される。
【００７６】
この場合、視線方向判定部１１ａによりユーザーＸの視線が所定方向を向いていないと判定された場合、制御部１１は視線方向判定部１１ａからの信号に基づいて、ガイダンス出力部１１ｂから操作パネル１４ＡのＬＣＤ表示部Ｍおよびスピーカ２２、またはＬＣＤ表示部Ｍおよびスピーカ２２の一方に対して視線誘導ガイダンスを流すよう指示する。
【００７７】
このような視線誘導ガイダンスは、例えば「カメラ側を向いて下さい」等のガイダンスを含む。
【００７８】
視線方向判定部１１ａにより、ユーザーＸの視線が所定方向を向いていると判定された場合、制御部１１は静止画像取得部１１ｃにより、まずＬＣＤ表示部Ｍおよびスピーカ２２、またはＬＣＤ表示部Ｍおよびスピーカ２２の一方に「撮影します」「３、２、１」等のガイダンスを含む撮影直前ガイダンスを流す。
【００７９】
その後、静止画像取得部１１ｃによりカメラＣとストロボユニットＳを動作させて静止画像を得る。
【００８０】
具体的には、制御部１１は、カメラＣ、ストロボユニットＳおよびＬＣＤ表示部Ｍを制御して、ストロボユニットＳから光をユーザーＸに対して照射して、被写体であるユーザーＸの顔部分の撮影が実行される。
【００８１】
このときカメラＣによりユーザーＸの画像情報（静止画像情報）が得られる。
【００８２】
この場合、カメラＣによる撮影（ショット）は複数回実行され、静止画像取得部１１ｃによりユーザーＸの顔画像情報を複数個入手することができる。
【００８３】
その後、静止画像取得部１１ｃで入手された複数の顔画像情報は、ＬＣＤ表示部Ｍへ送られてこのＬＣＤ表示部Ｍに表示され、ユーザーＸはＬＣＤ表示部Ｍ上の入力装置１４から所望の顔画像を選択する。
【００８４】
次に制御部１１は、例えば、ＬＣＤ表示部Ｍの画面に、ユーザーＸにキャッシャー２３への料金を入金することを案内する旨の表示をさせる。
【００８５】
次いで、お金が投入されると、制御部１１は、キャッシャー２３において入金された金額のチェックを実行する。そして、キャッシャー２３において選択された写真サイズ、種類に応じた料金の精算を実行し、釣銭を返金口に排出することで、入金処理が完了する（ステップＳ１１）。
【００８６】
そして、ユーザーＸがプリンタ１７を用いる旨、選択した場合は、入金処理が完了すると、制御部１１は、画像処理済みの画像情報をプリンタ１７に出力し、プリンタ１７により写真のプリント出力を実行する。写真プリントが取出口１７Ａに排出されると本処理は終了する。あるいはユーザーＸが外部サーバへ顔画像情報を送る旨、選択した場合は、顔画像情報をＷｉＦｉルータ４０を介して外部サーバへ送ることもできる。
【００８７】
＜第１の実施の形態の変形例＞
次に図６により第１の実施の形態の変形例について述べる。
【００８８】
図６に示すように、制御部１１の視線方向判定部１１ａは、視線センサ４５からの信号に基づいてユーザーＸの視線が所定方向を向いていると判定した後、更に一定時間（例えば１秒〜２秒程度）、ユーザーＸの視線が所定方向を向き続けているか否か判定してもよい。
【００８９】
この場合、一定時間、ユーザーＸの視線が所定方向を向き続けていない場合、制御部１１はガイダンス出力部１１ｂにより、ＬＣＤ表示部Ｍおよびスピーカ２２、またはＬＣＤ表示部Ｍおよびスピーカ２２の一方に対して視線誘導ガイダンスを流すよう指示する。
【００９０】
一定時間、ユーザーＸの視線が所定方向を向き続けている場合、制御部１１は静止画像取得部１１ｃにより、上述と同様の手順によって静止画像を得る。
【００９１】
＜第２の実施の形態＞
次に図７および図８により第２の実施の形態について説明する。
【００９２】
ここで図７は第２の実施の形態に係る写真撮影装置のシステム構成図の一例を示す図、図８は写真撮影装置の作用を示すフローチャートである。
【００９３】
図７および図８に示す第２の実施の形態において、図１乃至図６に示す第１の実施の形態と同一部分には同一符号を付して詳細な説明は省略する。
【００９４】
図７および図８に示す第２の実施の形態において、制御部１１は視線方向判定部１１ａ、ガイダンス出力部１１ｂ、静止画像取得部１１ｃに加えて、顔方向判定部１１ｄを備えている。
【００９５】
次に写真撮影装置１００の作用について説明する。
【００９６】
まず図８に示すように、ユーザーＸが入力装置１４の撮影開始ボタンを操作して撮影動作入力を実行する。この間、制御部１１はＬＣＤ表示部ＭにカメラＣにより撮影されているユーザーＸの動画像（ライブビュー）を表示させる。
【００９７】
撮影動作入力が実行されると、制御部１１は撮影スタンバイ状態となる。
【００９８】
次に制御部１１の顔方向判定部１１ｄにより、カメラＣにより撮影されているユーザーＸの動画像に基づいて、ユーザーＸの顔部分が正しい方向を向いているか否か、すなわち顔部分がカメラＣの方向を向いているか否か判定される。
【００９９】
この場合、顔方向判定部１１ｄによりユーザーＸの顔部分が正しい方向を向いていないと判定された場合、制御部１１は顔方向判定部１１ｄからの信号に基づいて、ガイダンス出力部１１ｂから操作パネル１４ＡのＬＣＤ表示部Ｍおよびスピーカ２２、またはＬＣＤ表示部Ｍおよびスピーカ２２の一方に対して顔方向誘導ガイダンスを流すよう指示する。
【０１００】
このような顔方向誘導ガイダンスは、例えば「カメラ側を向いて下さい」等のガイダンスを含む。
【０１０１】
顔方向判定部１１ｄによりユーザーＸの顔部分が正しい方向を向いていると判定された場合、その後、制御部１１は視線センサ４５からの信号に基づいて、視線方向判定部１１ａにより、ユーザーＸの視線がカメラＣと同一の中心をもつ視線検知領域５０内に入っているか否か判定する。そしてユーザーＸの視線が視線検知領域５０内に入っている場合に、ユーザーＸの視線が所定方向（カメラＣに向かう方向）を向いていると判定される。
【０１０２】
この場合、視線方向判定部１１ａによりユーザーＸの視線が所定方向を向いていないと判定された場合、制御部１１は視線方向判定部１１ａからの信号に基づいて、ガイダンス出力部１１ｂから操作パネル１４ＡのＬＣＤ表示部Ｍおよびスピーカ２２、またはＬＣＤ表示部Ｍおよびスピーカ２２の一方に対して視線誘導ガイダンスを流すよう指示する。
【０１０３】
このような視線誘導ガイダンスは、例えば「カメラ側を向いて下さい」等のガイダンスを含む。
【０１０４】
視線方向判定部１１ａにより、ユーザーＸの視線が所定方向を向いていると判定された場合、制御部１１は静止画像取得部１１ｃにより、まずＬＣＤ表示部Ｍおよびスピーカ２２、またはＬＣＤ表示部Ｍおよびスピーカ２２の一方に「撮影します」「３、２、１」等のガイダンスを含む撮影直前ガイダンスを流す。
【０１０５】
その後、静止画像取得部１１ｃによりカメラＣとストロボユニットＳを動作させて静止画像を得る。
【０１０６】
＜第２の実施の形態の変形例＞
次に図９により第２の実施の形態の変形例について述べる。
【０１０７】
図９に示すように、制御部１１の視線方向判定部１１ａは、視線センサ４５からの信号に基づいてユーザーＸの視線が所定方向を向いていると判定した後、更に一定時間（例えば１秒〜２秒程度）、ユーザーＸの視線が所定方向を向き続けているか否か判定してもよい。
【０１０８】
この場合、一定時間、ユーザーＸの視線が所定方向を向き続けていない場合、制御部１１はガイダンス出力部１１ｂにより、ＬＣＤ表示部Ｍおよびスピーカ２２、またはＬＣＤ表示部Ｍおよびスピーカ２２の一方に対して視線誘導ガイダンスを流すよう指示する。
【０１０９】
一定時間、ユーザーＸの視線が所定方向を向き続けている場合、制御部１１は静止画像取得部１１ｃにより、上述と同様の手順によって静止画像を得る。
【０１１０】
＜第３の実施の形態＞
次に図１０および図１１により第３の実施の形態について説明する。
【０１１１】
ここで図１０は第３の実施の形態に係る写真撮影装置の作用を示すフローチャート、図１１は写真撮影装置の作用を示す動作フローである。
【０１１２】
図１０および図１１に示す第３の実施の形態において、図１乃至図６に示す第１の実施の形態と同一部分には同一符号を付して詳細な説明は省略する。
【０１１３】
まず図１０に示すように、ユーザーＸが入力装置１４の撮影開始ボタンを操作して撮影動作入力を実行する。この間、制御部１１はＬＣＤ表示部ＭにカメラＣにより撮影されているユーザーＸの動画像（ライブビュー）を表示させる。
【０１１４】
撮影動作入力が実行されると、制御部１１は撮影スタンバイ状態となる。
【０１１５】
このとき制御部１１は静止画像取得部１１ｃにより、まずＬＣＤ表示部Ｍおよびスピーカ２２、またはＬＣＤ表示部Ｍおよびスピーカ２２の一方に「撮影します」「３、２、１」等のガイダンスを含む撮影直前ガイダンスを流す（図１１参照）。
【０１１６】
この間、制御部１１は視線センサ４５からの信号に基づいて、視線方向判定部１１ａにより、ユーザーＸの視線がカメラＣと同一の中心をもつ視線検知領域５０内に入っているか否か判定する。そしてユーザーＸの視線が視線検知領域５０内に入っている場合に、ユーザーＸの視線が所定方向（カメラＣに向かう方向）を向いていると判定される。
【０１１７】
図１１に示すように、撮影直前ガイダンスを流しているとき、例えば「３、２、１」のうち「２」秒目で視線方向判定部１１ａによりユーザーＸの視線が所定方向を向いていないと判定された場合、視線方向判定部１１ａがユーザーＸの視線が所定方向を向いていると判定するまで、静止画像取得部１１ｃはカメラＣとストロボユニットＳの動作を停止させる。
【０１１８】
その後、視線方向判定部１１ａによりユーザーＸの視線が所定方向を向いたと判定した後、静止画像取得部１１ｃはカメラＣとストロボユニットＳを動作させて静止画像を得る。
【符号の説明】
【０１１９】
１１  制御部
１１ａ  視線方向判定部
１１ｂ  ガイダンス出力部
１１ｃ  静止画像取得部
１１ｄ  顔方向判定部
１３  検知センサ
１４  入力装置
１４Ａ  操作パネル
１６  記憶部
１７  プリンタ
１７Ａ  取出口
３１  Ｉ／Ｏ（Input/Output）ユニット
２２  スピーカ
２３  キャッシャー
４０  ＷｉＦｉルータ
４５  視線センサ
５０  視線検知領域
１００  写真撮影装置
Ｓ  ストロボユニット
Ｃ  カメラ（撮影部）
Ｍ  ＬＣＤ表示部（表示装置）
Ｌ  垂直線
【図１】
2019161322.tif 000003
【図２】
2019161322.tif 000004
【図３】
2019161322.tif 000005
【図４】
2019161322.tif 000006
【図５】
2019161322.tif 000007
【図６】
2019161322.tif 000008
【図７】
2019161322.tif 000009
【図８】
2019161322.tif 000010
【図９】
2019161322.tif 000011
【図１０】
2019161322.tif 000012
【図１１】
2019161322.tif 000013